(57)【要約】【課題】リフォーム時に、容易に種々の機能を選択して改良できる壁のリフォーム構造および壁のリフォーム工法を提供することにある。【解決手段】本発明にかかる壁のリフォーム構造１００，１００ａ，〜，１００ｑは、壁嵌合部３３０および凸部３２０が設けられたフレーム３００と、フレーム３００に積層される１または複数の内層パネル４００，４００ａ，４００ｆ，〜，４００ｑと、内層パネル４００，４００ａ，４００ｆ，〜，４００ｑに積層される１または複数の表面パネル５００，５００ａ，〜，５００ｑ，５２１，５２２，５２３，５２５，５２６，５２８，５２９と、を含む。内層パネル４００，４００ａ，４００ｆ，〜，４００ｑおよび表面パネル５００，５００ａ，〜，５００ｑ，５２１，５２２，５２３，５２５，５２６，５２８，５２９の少なくともいずれかに、フレーム３００に対して着脱可能な孔４２０または穴５３０が設けられている。【選択図】図１
2015175105.tif 000002
【特許請求の範囲】
【請求項１】
壁固定部およびパネル保持部が設けられたパネル取付部と、
前記パネル取付け部に積層される１または複数の内層パネルと、
前記内層パネルに積層される１または複数の表面パネルと、を含み、
前記内層パネルおよび前記表面パネルの少なくともいずれかに、前記パネル保持部に対して着脱可能な被保持部が設けられる、壁のリフォーム構造。
【請求項２】
前記パネル取付部は、複数位置で壁に喰い込む壁固定部および壁の鉛直方向に延在した形状の少なくともいずれかを含むフレームからなる、請求項１記載の壁のリフォーム構造。
【請求項３】
前記内層パネルと前記表面パネルとのいずれにも、前記パネル保持部に対して着脱可能な被保持部が設けられ、
前記パネル保持部は、突起部を含み、
前記内層パネルにおける被保持部が前記突起を貫通可能な孔を含み、
前記表面パネルにおける被保持部が前記突起の先端部を嵌合可能な穴を含む、請求項１または２記載の壁のリフォーム構造。
【請求項４】
前記パネル保持部は、前記表面パネルが保持されるべき壁からの距離を調整する保持位置調整部を含む、請求項１から３のいずれか１項に記載の壁のリフォーム構造。
【請求項５】
前記内層パネルの全てまたは一部が、断熱性、吸熱性、調湿性、遮音性、吸音性、温度調整機能、発電特性、放射線遮蔽性、衝撃吸収性、および制振性の少なくともいずれかの特性を有する機能性部材を含む、請求項１から４のいずれか１項に記載の壁のリフォーム構造。
【請求項６】
前記表面パネルの全てまたは一部が、断熱性、吸熱性、調湿性、遮音性、吸音性、温度調整機能、発電特性、放射線遮蔽性、衝撃吸収性、および制振性の少なくともいずれかの特性を有する機能性部材を含む、請求項１から５のいずれか１項に記載の壁のリフォーム構造。
【請求項７】
前記表面パネルの全てまたは一部が、家電製品および照明部材の少なくともいずれかを含む、請求項１から６のいずれか１項に記載の壁のリフォーム構造。
【請求項８】
前記表面パネルの全てまたは一部が、ホワイトボード、黒板および筆記可能な板部材の少なくともいずれかを含む、請求項１から７のいずれか１項に記載の壁のリフォーム構造。
【請求項９】
前記表面パネルの全てまたは一部に、収容スペースを構成可能な張り出し部材が突設されている、請求項１から８のいずれか１項に記載の壁のリフォーム構造。
【請求項１０】
前記表面パネルの全てまたは一部に、手すり部が突設されている、請求項１から９のいずれか１項に記載の壁のリフォーム構造。
【請求項１１】
前記内層パネルの全てまたは一部に、配線収納用の空間が形成されている、請求項１から１０のいずれか１項に記載の壁のリフォーム構造。
【請求項１２】
壁固定部およびパネル保持部が設けられたパネル取付部の前記壁固定部を、既存の壁に取り付ける第１工程と、
前記第１工程によるパネル取付け部のパネル保持部に、１または複数の内層パネルおよび１または複数の表面パネルを、順に積層して取り付ける第２工程と、を含む、壁リフォーム工法。
【発明の詳細な説明】
【技術分野】
【０００１】
本発明は、壁のリフォーム構造および壁のリフォーム工法に関する。より具体的には、本発明は、表面壁だけでなく内層壁も容易に着脱可能にリフォームすることができる壁のリフォーム構造および壁のリフォーム工法に関する。
【背景技術】
【０００２】
建物の壁内側に、内装用壁パネルを着脱自在に取り付ける技術として、たとえば、特開２００７−２４７３８２号公報（特許文献１）に開示されたパネル取付構造が挙げられる。
当該パネル取付構造は、壁面に第一の係合片がとりつけられており、パネルの背面には壁面に取り付けられた状態で第一の係合片と対応する位置に、第一の係合片と係合して、パネルを壁面に対して着脱可能に係止する第二の係合片が取り付けられているものである。
【先行技術文献】
【特許文献】
【０００３】
【特許文献１】特開２００７−２４７３８２号公報
【発明の概要】
【発明が解決しようとする課題】
【０００４】
以上のように、上記の特許文献１に記載のパネル取付構造では、壁の表面パネルを着脱可能にしてリフォームすることができると記載されている。
しかしながら、特許文献１記載の壁は、石膏ボード等の脆弱な材質からなる下地材において効果を奏するため、仕上げ材は、軽量なものしか利用できないという問題点が残る。
したがって、軽量な仕上げ材であるため、種々の機能をリフォーム後の壁に含ませることが、困難である。
【０００５】
そこで、本発明の目的は、リフォーム時に、容易に種々の機能を選択して改良できる壁のリフォーム構造および壁のリフォーム工法を提供することにある。
【課題を解決するための手段】
【０００６】
（１）
一局面に従う壁のリフォーム構造は、壁固定部およびパネル保持部が設けられたパネル取付部と、パネル取付け部に積層される１または複数の内層パネルと、内層パネルに積層される１または複数の表面パネルと、を含み、内層パネルおよび表面パネルの少なくともいずれかに、パネル保持部に対して着脱可能な被保持部が設けられる。
【０００７】
これによって、化粧面として表面パネルを用い、内層パネルを新たに取付ることで機能性を多様に選択し改良することができる。
【０００８】
（２）
第２の発明にかかる壁のリフォーム構造は、一局面に従う壁のリフォーム構造において、パネル取付部は、壁に喰い込む壁固定部および壁の鉛直方向に延在した壁固定部の少なくともいずれかを含むフレームからなってもよい。
【０００９】
この場合、壁固定部は、既存の壁に喰い込む構造および既存の壁の鉛直方向に延在した少なくともいずれかのフレームからなるので、脆弱な壁であっても、確実に固定することができる。
【００１０】
（３）
第３の発明にかかる壁のリフォーム構造は、一局面または第２の発明にかかる壁のリフォーム構造において、内層パネルと表面パネルとのいずれにも、パネル保持部に対して着脱可能な被保持部が設けられ、パネル保持部は、突起部を含み、内層パネルにおける被保持部が突起を貫通可能な孔を含み、表面パネルにおける被保持部が突起の先端部を嵌合可能な穴を含んでもよい。
【００１１】
この場合、内層パネルと表面パネルとのいずれにも、パネル保持部に対して着脱可能な被保持部が設けられており、パネル保持部の突起部が、内層パネルの孔に嵌められ、さらに表面パネルの穴に嵌合される。
【００１２】
（４）
第４の発明にかかる壁のリフォーム構造は、一局面または第２、第３の発明にかかる壁のリフォーム構造において、パネル保持部は、表面パネルが保持されるべき壁からの距離を調整する保持位置調整部を含んでもよい。
【００１３】
この場合、保持位置調整部により表面パネルが保持されるべき壁からの距離を調整することができる。
【００１４】
（５）
第５の発明にかかる壁のリフォーム構造は、一局面または第２、第３、第４の発明にかかる壁のリフォーム構造において、内層パネルの全てまたは一部が、断熱性、吸熱性、調湿性、遮音性、吸音性、温度調整機能、発電特性、放射線遮蔽性、衝撃吸収性、および制振性の少なくともいずれかの特性を有する機能性部材を含んでもよい。
【００１５】
この場合、内層パネルを適宜選択することにより機能性壁へのリフォームが可能となる。
例えば、断熱性については、ボード状のグラスウール、または発泡系プラスチック等を用いることができ、吸熱性、温度調整機能については、ポリエチレン、ポリプロピレン、ポリエステルの１つからなる結晶性高分子材料、またはステアリン酸、ステアリン酸アミド、パルミチン酸、パラフィン類の１つからなる結晶性材料、放熱シート等を用いることができ、遮音性、吸音性、制振性については、石膏ボード、ボード状にグラスウール、アスファルトシート、多孔板等を用いることができ、発電特性については、有機薄膜太陽電池等を用いることができ、放射線遮蔽性については、鉛板等を用いることができ、衝撃吸収性は、発泡性ゴム等を用いることができ、調湿性については、珪藻土板等を用いることができ、その他ニオイ吸着およびＶＯＣ吸着等の機能性部材を用いることができる。
【００１６】
（６）
第６の発明にかかる壁のリフォーム構造は、一局面または第２乃至第５の発明にかかる壁のリフォーム構造において、表面パネルの全てまたは一部が、断熱性、吸熱性、調湿性、遮音性、吸音性、温度調整機能、発電特性、放射線遮蔽性、衝撃吸収性、および制振性の少なくともいずれかの特性を有する機能性部材を含んでもよい。
【００１７】
この場合、表面パネルを適宜選択することにより、機能性壁へのリフォームが可能となる。
例えば、断熱性については、ボード状のグラスウール、または発泡系プラスチック等を用いることができ、吸熱性、温度調整機能については、ポリエチレン、ポリプロピレン、ポリエステルの１つからなる結晶性高分子材料、またはステアリン酸、ステアリン酸アミド、パルミチン酸、パラフィン類の１つからなる結晶性材料、放熱シート等を用いることができ、遮音性、吸音性、制振性については、石膏ボード、ボード状にグラスウール、アスファルトシート、多孔板等を用いることができ、発電特性については、有機薄膜太陽電池等を用いることができ、放射線遮蔽性については、鉛板等を用いることができ、衝撃吸収性は、発泡性ゴム等を用いることができ、調湿性については、珪藻土板等を用いることができ、その他ニオイ吸着およびＶＯＣ吸着等の機能性部材を用いることができる。
【００１８】
（７）
第７の発明にかかる壁のリフォーム構造は、一局面または第２乃至第６の発明にかかる壁のリフォーム構造において、表面パネルの全てまたは一部が、家電製品および照明部材の少なくともいずれかを含んでもよい。
【００１９】
この場合、家電製品および照明部材の少なくともいずれかをリフォームと同時に設置することができる。
これによって、リフォーム壁の全てまたは一部自体を家電製品および照明の少なくともいずれかとして機能させることができる。
また、リフォーム時に、壁にマルチタップ、コンセント等の家電製品を設けてもよい。
【００２０】
（８）
第８の発明にかかる壁のリフォーム構造は、一局面または第２乃至第７の発明にかかる壁のリフォーム構造において、表面パネルの全てまたは一部が、ホワイトボード、黒板および筆記可能な板部材の少なくともいずれかを含んでもよい。
【００２１】
この場合、壁のリフォームにより、全てまたは一部を筆記ボードとすることができる。特に、子供の落書き、大人の絵画練習等に利用することができる。特にホワイトボード、黒板であれば、消すことができるため、何度でも利用することができる。
【００２２】
（９）
第９の発明にかかる壁のリフォーム構造は、一局面または第２乃至第８の発明にかかる壁のリフォーム構造において、表面パネルの全てまたは一部に、収容スペースを構成可能な張り出し部材が突設されていてもよい。
【００２３】
この場合、表面パネルに収容スペースを形成する張り出し部材が設けられているので、表面パネルを自在に組み合わせて、壁のリフォーム時に自由自在な収容スペースを設けることができる。例えば、収容スペースの位置、形状および大きさを自由に決定することができる。
【００２４】
（１０）
第１０の発明にかかる壁のリフォーム構造は、一局面または第２乃至第９の発明にかかる壁のリフォーム構造において、表面パネルの全てまたは一部に、手すり部が突設されていてもよい。
【００２５】
この場合、バリアフリータイプの壁のリフォーム時または階段の壁のリフォーム時に自由自在に手すりを設けることができる。例えば、手すりの位置、形状および長さを自由に決定することができる。
【００２６】
（１１）
第１１の発明にかかる壁のリフォーム構造は、一局面または第２乃至第１０の発明にかかる壁のリフォーム構造において、内層パネルの全てまたは一部に、配線収納用の空間が形成されていてもよい。
【００２７】
この場合、壁のリフォーム時に内層パネルの空間に配線を通すことができる。
【００２８】
（１２）
他の局面にかかる壁のリフォーム工法は、壁固定部およびパネル保持部が設けられたパネル取付部の壁固定部を、既存の壁に取り付ける第１工程と、第１工程によるパネル取付け部のパネル保持部に、１または複数の内層パネルおよび１または複数の表面パネルを、順に積層して取り付ける第２工程と、を含むものである。
【００２９】
本発明にかかる壁のリフォーム工法は、第１工程によりパネル取付け部が既存の壁に取り付けられる。そして、第２工程によりパネル取付け部に対して内層パネル、表面パネルの順に取り付けられる。
【００３０】
内層パネルは、表面パネルの機能に応じて選択されるものであってもよい。例えば、表面パネルが発熱性を有するものであれば、内層パネルは、吸熱性を有するものであってもよい。
【図面の簡単な説明】
【００３１】
【図１】本実施の形態にかかる壁のリフォーム構造を説明するために一部を切り欠いた模式的斜視図である。
【図２】図１のリフォーム構造のリフォーム工法を説明するための模式的斜視図である。
【図３】図１のリフォーム構造のリフォーム工法を説明するための模式的斜視図である。
【図４】図１のリフォーム構造のリフォーム工法を説明するための模式的斜視図である。
【図５】図１のリフォーム構造のリフォーム工法を説明するための模式的斜視図である。
【図６】リフォーム構造のフレームの一例を示す模式図である。
【図７】壁にフレームが取り付けられた際の一例を示す模式的断面図である。
【図８】本実施の形態にかかる内層パネルの一例を示す模式的斜視図である。
【図９】本実施の形態にかかる内層パネルの一例を示す模式的斜視図である。
【図１０】本発明にかかる表面パネルの一例を示す模式的断面図である。
【図１１】壁のリフォーム構造の他の例を示す模式図である。
【図１２】壁のリフォーム構造の他の例を示す模式図である。
【図１３】壁のリフォーム構造のさらに他の例を示す模式図である。
【図１４】壁のリフォーム構造のさらに他の例を示す模式図である。
【図１５】壁のリフォーム構造のさらに他の例を示す模式図である。
【図１６】フレームの他の例を示す模式的斜視図である。
【図１７】フレームを用いた壁のリフォーム構造の一例を示す模式的断面図である。
【図１８】壁のリフォーム構造の一例を示す模式的断面図である。
【図１９】壁のリフォーム構造の一例を示す模式的断面図である。
【図２０】壁のリフォーム構造の一例を示す模式的断面図である。
【図２１】壁のリフォーム構造の一例を示す模式的断面図である。
【図２２】壁のリフォーム構造の一例を示す模式的断面図である。
【図２３】壁のリフォーム構造の一例を示す模式的断面図である。
【図２４】壁のリフォーム構造の一例を示す模式的断面図である。
【図２５】壁のリフォーム構造の一例を示す模式的断面図である。
【図２６】壁のリフォーム構造の一例を示す模式的断面図である。
【図２７】壁のリフォーム構造の一例を示す模式的断面図である。
【発明を実施するための形態】
【００３２】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００３３】
（壁のリフォーム構造）
図１は、本実施の形態にかかる壁のリフォーム構造を説明するために一部を切り欠いた模式的斜視図であり、図２から図５は、図１のリフォーム構造のリフォーム工法を説明するための模式的斜視図である。
【００３４】
図１に示すように、壁のリフォーム構造１００は、主に既存の壁２００、フレーム３００、内層パネル４００および表面パネル５００からなる。図２および図３に示すように、既存の壁２００に対して、フレーム３００が取り付けられる。図４に示すように、フレーム３００に内層パネル４００が取り付けられる。最後に、図５に示すように、内層パネル４００に表面パネル５００が積層して取り付けられる。以下、各部材について説明を行う。
【００３５】
（フレーム３００）
図６はリフォーム構造１００のフレーム３００の一例を示す模式図であり、図７は壁２００にフレーム３００が取り付けられた際の一例を示す模式的断面図である。
【００３６】
図６に示すように、フレーム３００は、矩形状の枠体３１０、凸部３２０および壁嵌合部３３０からなる。矩形状の枠体３１０は、鉛直方向に延在した長方形の平面枠部材からなる。特に、軽量化のために枠部材としているが、これに限定されず、平面板であってもよい。
【００３７】
また、当該平面枠部材の一面側に、複数の凸部３２０が所定の間隔で形成され、平面枠部材の他面側に、複数の壁嵌合部３３０が形成される。ここで、所定の間隔とは、距離ＰＴ１および距離ＰＴ２とを繰り返す間隔を意味する。
なお、枠体３１０の水平方向の幅および鉛直方向の長さ（高さ）は、壁２００等における規格寸法を整数で割ったサイズであることが好ましいが、特に限定されるものではない。
また、フレーム３００の複数の凸部３２０は突出量を調整できてもよい。さらに凸部３２０の先端には、突起３２１が形成されている。
【００３８】
図６に示すように、壁嵌合部３３０は、内部にスクリューネジＳＣを有しており、スクリューネジＳＣを挿入することにより、図７に示すように、壁嵌合部３３０の先端が広がり、壁２００の穴に喰い込ませて固定することができるものである。
また、壁嵌合部３３０が、フレーム３００の鉛直上部において鉛直下部よりも多く設けられてもよい。すなわち、フレーム３００の鉛直上部は、荷重が多くかかるため、壁２００に対して堅固に固定するためである。
【００３９】
なお、本実施の形態においては、壁嵌合部３３０を設けることとしているが、これに限定されず、矩形状の枠体３１０の一面側から他面側へ向かって壁２００に対して、ネジ、釘、ピン等、または他面側と壁２００とを接着するなど、他の任意の手法で固定できればよい。
【００４０】
（内層パネル４００）
次に、図８は、本実施の形態にかかる内層パネル４００の一例を示す模式的斜視図である。
【００４１】
図８に示すように、本実施の形態における内層パネル４００は、所定の間隔の孔４２０を有する平面部材４１０からなる。当該所定の間隔の孔４２０は、フレーム３００の凸部３２０に対応する距離ＰＴ１および距離ＰＴ２に応じて設けられる。
【００４２】
なお、本実施の形態においては、内層パネル４００が平面部材４１０からなることとしているが、これに限定されず、凹凸を有してもよく、他の任意の形状からなってもよい。
【００４３】
また、内層パネル４００は、全て同一の形状でなくてもよく、例えば、特性に応じて形状が異なってもよい。
【００４４】
本実施の形態における内層パネル４００の特性は、例えば、断熱性（フェノバボード：積水化学工業製）、吸熱性、調湿性、遮音性、吸音性（防音性）、温度調整機能、発電特性、放射線遮蔽性、衝撃吸収性、および制振性（カルムーンシート：積水化学工業製）の少なくともいずれかの特性を有する機能性部材を含む。
なお、内層パネル４００は、特段の機能性材料ではなく、単なるフレーム３００と表面パネル５００との距離調整のために設けられてもよい。この場合、内層パネル４００のコストを低減することができる。
また、複数の内層パネル４００のうち一部に断熱性を有する機能性部材を用いてもよい。また、内層パネル４００は、複数層により形成されてもよく、フレーム３００に直接表面パネル５００が取り付けられてもよい。
なお、内層パネル４００が複数層により形成されている場合とは、断熱機能を有するパネルと、遮音性を有するパネルとを積層してもよく、１枚のパネルに断熱機能および遮音性を有してもよい。
【００４５】
なお、上記の列挙内容に限定されず、内層パネル４００の機能性部材は、その他の任意の機能性部材を用いてもよい。
【００４６】
（内層パネル４００ａ）
次いで、図９は、本実施の形態にかかる内層パネル４００ａの一例を示す模式的斜視図である。なお、図８の内層パネル４００が図９の内層パネル４００ａと異なる部分についてのみ説明を行う。
【００４７】
図９に示すように、内層パネル４００ａは、図８の内層パネル４００を複数並べたサイズからなる。また、図９に示すように、内層パネル４００ａは、平面部材４１０の代わりに平面部材４１０ａからなり、切り欠き部４３０および孔４４０を有する。
【００４８】
切り欠き部４３０は、フレーム３００と表面パネル５００との距離を調整するためのスペーサ６００をしてもよい。
また、孔４４０には、配線ケーブル等を収納することができる。
【００４９】
（表面パネル５００）
次に、図１０は、本発明にかかる表面パネル５００の一例を示す模式的断面図である。
【００５０】
図１０に示すように、表面パネル５００は、所定の間隔の穴５３０を有する表面部材５２０からなる。穴５３０の一部に切り欠き部５４０が形成される。
【００５１】
切り欠き部５４０は、穴５３０の内部に形成されている。穴５３０に凸部３２０が挿入され、切り欠き部５４０に突起３２１が嵌合する。その結果、表面パネル５００が内層パネル４００をおさえつつ、壁２００に固定される。
なお、突起３２１の材料が硬素材からなり、表面パネル５００が軟素材からなる場合、容易に表面パネル５００を取り外すことができる。また、突起３２１は、凸部３２０の先端に部分的に形成されている。また、突起３２１が形成された凸部３２０の近くにスリット３２２（図７参照）を設けてもよい。その結果、スリット３２２の弾性により突起３２１を容易に切り欠き部５４０から外すことができる。
また、突起３２１および切り欠き部５４０を設ける場合について説明したが、これに限定されず、突起３２１および切り欠き部５４０を設けなくてもよい。
【００５２】
本実施の形態において、表面部材５２０の表面は、通常の壁紙を有したもの、または高級感のある化粧板を施したものである。
【００５３】
（壁のリフォーム構造を用いたその他の具体例）
図１１は、壁のリフォーム構造１００の他の例を示す模式図である。
【００５４】
図１１に示すように、壁のリフォーム構造１００ａの表面パネル５００ａは、表面パネル５２１，５２２が市松模様に配設されたものである。すなわち、このように、表面パネル５２１，５２２を自由に配設して、幾何模様を実現することができる。
【００５５】
また、図１１に示す表面パネル５２１と表面パネル５２２との厚みを変更することで、壁全体に凹凸を持たせた意匠壁を形成できる。さらに、表面パネル５２１、５２２の厚みが同じでも内層パネル４００の厚みを変更することで、壁全体に凹凸を持たせた意匠壁を形成できる。
なお、凸部３２０の突出量を一定としているが、これに限定されず、突出量を調整できる機構を有してもよく、凸部３２０の突出量が、複数のパターンを有してもよい。
具体的に、突出量を調整できる機構とは、机の脚の高さ調整のように、凸部が二重管からなり、外管と内管とに一定間隔で小孔が形成されており、内管と外管とをピンまたはネジ等で位置決めして調整できる機構であってもよく、または、釣竿または物干し竿のように、複数管で一定長さを伸ばして調整部を回して固定する機構であってもよい。
【００５６】
また、表面パネル５００ａは、簡単に外れず、しかし、必要に応じて外せることが望ましい。例えば、フレーム３００の凸部３２０の先端が丸み部を有しており、丸み部の最大径が表面パネル５００ａの穴径よりも大きく、丸み部が柔らかい部材で構成されている場合などである。
また、表面パネル５００ａの裏面および内層パネル４００の表面に凹凸部を設け、凸部の先端が丸み部を有しており、当該丸み径に応じた凹径で丸み部が柔らかい部材、例えば、シリコンまたはゴム等の機構からなってもよい。また、丸み部の最大径が表面パネル５００ａの穴凹径よりも大きく、丸み部が柔らかい部材からなり、表面パネル５００ａを押し込むものであってもよい。
【００５７】
図１２は、壁のリフォーム構造１００の他の例を示す模式図である。
【００５８】
図１２に示すように、壁のリフォーム構造１００ｂの表面パネル５００ｂは、表面パネル５００が、簡単に文字、図、絵等を書いたり消したりできる機能を有する表面パネル５２３を有する。
この場合、表面パネル５２３は、ホワイトボード、黒板等の機能を有するものである。なお、表面パネル５２３は、滑らかな、つやのある表面を有してもよい。
【００５９】
この場合、表面パネル５２３を筆記ボードとすることができる。特に、子供の落書き、大人の絵画練習等に利用することができる。
【００６０】
図１３は、壁のリフォーム構造１００のさらに他の例を示す模式図である。
【００６１】
図１３に示すように、壁のリフォーム構造１００ｃの表面パネル５００ｃは、表面パネル５００の一部に突出板を有する表面パネル５２５が組み合わせられて収容スペースが形成されている。
【００６２】
この場合、突出板を有する表面パネル５２５を自由に組み合わせることにより収容スペースを形成することができる。なお、図１３に示す以外の形状、ロ型、コ型、Ｌ型、平板等自由に形成することができる。
また、表面パネル５２５の突出板を手すりに変更することで、自由に手すりを形成することができる。例えば、手すりの高さ、角度、長さ等を自由に変更できる。
なお、表面パネル５２５について、突出板が一体となっていることとしているが、これに限定されず、接着、ネジ、凸凹嵌合、スリット等のいずれかまたは複数を入れておいてスライド挿入するなどの構造を有してもよい。
【００６３】
図１４は、壁のリフォーム構造１００のさらに他の例を示す模式図である。
【００６４】
図１４に示すように、壁のリフォーム構造１００ｄの表面パネル５００ｄは、表面パネル５００の一部に、ＬＥＤ照明を有する表面パネル５２６、１１．２ｃｈまたは５、１ｃｈ等の機能のスピーカを有する表面パネル５２８、大型テレビを有する表面パネル５２９、およびマルチタップ５７１が埋め込まれた表面パネル５７０が形成されている。
【００６５】
この場合、壁に種々の電化製品を取り付けることができる。電化製品は、冷蔵庫、ボトルまたはビール等が収容される小型冷蔵庫、小型扇風機、ファン、エアコン、ワインセラー等自由に設けることができる。特に薄型のタイプが望ましい。
【００６６】
図１５は、壁のリフォーム構造１００のさらに他の例を示す模式図である。
【００６７】
図１５に示すように、壁のリフォーム構造１００ｅの表面パネル５００ｅは、既設の電化製品５７２の周囲に表面パネル５００ｅを形成したものである。すなわち、既設の電化製品５７２の周囲のみリフォームすることができる。
なお、特に図示しないが、表面パネル５００ｅは、フレーム３００ｅ、内層パネル４００ｅが形成された上に積層されている。
【００６８】
図１５に示すように、既設の電化製品５７２または既設の大型家具等の周囲に表面パネル５００ｅを形成することができるので、家具等を動かすことなくリフォームを行うことができる。また、既設の窓、換気扇、エアコン等に対しても同様に表面パネル５００ｅを形成することができる。
すなわち、既設の電化製品５７２または既設の大型家具等、既設の窓、換気扇、エアコン等の周囲のみリフォームすることができる。
【００６９】
（他のリフォーム構造）
図１６は、フレーム３００の他の例を示す模式的斜視図であり、図１７はフレーム３００を用いた壁のリフォーム構造１００ｆの一例を示す模式的断面図である。図１７は、図１６のＡ−Ａ平面における断面を示す。
【００７０】
図１６に示すように、フレーム３００ｆは、コ字状部を含む部材からなる。また、コ字状部には、孔３２０ｆが形成されている。
図１７に示すように、壁のリフォーム構造１００ｆは、フレーム３００ｆの孔３２０ｆに内層パネル４００ｆの係止部４６０が係止される。
【００７１】
さらに、内層パネル４００ｆに対して、強力な両面テープＡＤにより表面パネル５００ｆが取り付けられる。なお、両面テープＡＤに限定されず、マジックテープ（登録商標）等を利用してもよい。
また、表面パネル５００ｆは、鉛直上部端面に凹部５６０が形成され、鉛直下部端面に凸部５５０が形成され、鉛直方向に隣接する表面パネル５００ｆ同士が嵌合される。
なお、鉛直上部端面に凹部５６０が形成され、鉛直下部端面に凸部５５０が形成され、鉛直方向に隣接する表面パネル５００ｆ同士が嵌合される場合について説明をしているが、これに限定されず、凹部５６０および凸部５５０が形成されていない表面パネルを用いてもよい。
【００７２】
次に、図１８は、壁のリフォーム構造１００ｇの一例を示す模式的断面図である。
図１８に示す壁のリフォーム構造１００ｇが図１７に示した壁のリフォーム構造１００ｆと異なる点は、以下の点である。
【００７３】
図１８に示すように、内層パネル４００ｇは、表面パネル５００ｇの大きさよりも一回り小さく、表面パネル５００ｇは、内層パネル４００ｇに表面パネル５００ｇの係止部５８０および係止部５８１により固定される。この場合、係止部５８０を内層パネル４００ｇの上面に引っかけ、係止部５８１を内層パネル４００ｇの下面に嵌合させる。
すなわち、表面パネル５００ｇは、内層パネル４００ｇを包み込むように嵌合される。
なお、表面パネル５００ｇは、係止部５８０および係止部５８１を有することとしたが、これに限定されず、係止部５８０および係止部５８１を有しなくてもよい。
【００７４】
続いて、図１９は、壁のリフォーム構造１００ｈの一例を示す模式的断面図である。
図１９に示す壁のリフォーム構造１００ｈは、フレーム３００ｈがネジＢＴにより壁２００に固定される。また、フレーム３００ｈの凸部３２０ｈは、少なくとも先端が磁性体または金属からなる。表面パネル５００ｈの穴には、磁石５８０ｈが内蔵される。
その結果、表面パネル５００ｈの磁石５８０ｈと凸部３２０ｈとの間に磁力が働く。その結果、表面パネル５００ｈおよび内層パネル４００ｈがフレーム３００ｈに磁力で固定される。
【００７５】
次いで、図２０は、壁のリフォーム構造１００ｊの一例を示す模式的断面図である。
図２０に示す壁のリフォーム構造１００ｊは、フレーム３００ｊがネジＢＴにより壁２００に固定される。また、フレーム３００ｊの凸部３２０ｊは、少なくとも先端が磁性体または金属からなる。表面パネル５００ｊには、磁石５８０ｊが内蔵される。
その結果、表面パネル５００ｊの磁石５８０ｊと凸部３２０ｊとの間に磁力が働く。その結果、表面パネル５００ｊおよび内層パネル４００ｊがフレーム３００ｊに固定される。また、磁石５８０ｊが表面パネル５００ｊの厚み方向の中央部に設けられるため、表面パネル５００ｊの表裏面のいずれも使用することができる。いわゆる表面パネル５００ｊのリバーシブルを実現することができる。
【００７６】
次に、図２１は、壁のリフォーム構造１００ｋの一例を示す模式的断面図である。
図２１に示す壁のリフォーム構造１００ｋは、フレーム３００ｋがネジＢＴにより壁２００に固定される。また、フレーム３００ｋの凸部３２０ｋは、内層パネル４００ｋの穴に嵌合される。また、内層パネル４００ｋには、磁石４８０ｋが内蔵され、表面パネル５００ｋには、磁石５８０ｋが内蔵される。なお、磁石４８０ｋ，５８０ｋのいずれか一方が金属からなってもよい。
【００７７】
その結果、内層パネル４００ｋと表面パネル５００ｋとが磁力で固定される。また、磁石４８０ｋ，５８０ｋを複数水平方向に大きく設けることで、表面パネル５００ｋの位置をフレーム３００ｋに対して水平方向へ、ずらすことができる。すなわち、フレーム３００ｋと表面パネル５００ｋが一対一の関係でなく、ずらした配置関係を実現することができる。
なお、磁石４８０ｋ，５８０ｋは、水平方向に限定されず、鉛直方向、鉛直方向および水平方向（斜め方向）に磁力が働くように、大きく設けて、それぞれの方向へずらしてもよい。
【００７８】
次に、図２２から図２４は、壁のリフォーム構造１００ｍの一例を示す模式的断面図である。
【００７９】
まず、図２２に示すように、壁のリフォーム構造１００ｍは、フレーム３００ｍがネジＢＴにより壁２００に固定される。また、フレーム３００ｍの凸部３２０ｍは、内層パネル４００ｍの孔に嵌合される。
その結果、図２３に示すように、フレーム３００ｍの凸部３２０ｍの先端部３２３ｍが内層パネル４００ｍから突出する。
【００８０】
内層パネル４００ｍから突出した先端部３２３ｍは、軸Ｇを中心に回転させることができる。そして、図２４に示すように、先端部３２３ｍに対して、表面パネル５００ｍの穴５５５ｍを嵌合することにより表面パネル５００ｍを嵌合することができる。
その結果、図２３に示すように、内層パネル４００ｍをフレーム３００ｍに取り付ける工程において、内層パネル４００ｍの落下を防止することができる。
【００８１】
次いで、図２５は、壁のリフォーム構造１００ｎの一例を示す模式的断面図である。
【００８２】
まず、図２５に示すように、壁のリフォーム構造１００ｎは、フレーム３００ｎがネジＢＴにより壁２００に固定される。フレーム３００ｎの凸部３２０ｎは、水平方向から角度θ鉛直上方向に傾斜して設けられる。
フレーム３００ｎの凸部３２０ｎに、内層パネル４００ｎの孔が嵌合され、表面パネル５００ｎの穴５５５ｎが嵌合される。その結果、内層パネル４００ｎおよび表面パネル５００ｎが抜け難くなる。
【００８３】
続いて、図２６は、壁のリフォーム構造１００ｐの一例を示す模式的断面図である。
【００８４】
まず、図２６に示すように、壁のリフォーム構造１００ｐは、フレーム３００ｐ、内層パネル４００ｐが、ネジＢＴｐにより壁２００に固定される。そして、ネジＢＴｐの一部が内層パネル４００ｐから突出する。ネジＢＴｐの突出部に、表面パネル５００ｐの穴５５５ｐを嵌合する。
その結果、フレーム３００ｐと内層パネル４００ｐとを一度に固定することができる。
なお、上記の例においては、フレーム３００ｐと内層パネル４００ｐとを一度に固定することとしているが、これに限定されず、内層パネル４００ｐに予めネジＢＴｐの径以上の孔を設けてもよい。
さらに、ネジＢＴｐにより、壁２００から表面パネル５００ｐまでの距離調整としても利用することができる。
【００８５】
最後に、図２７は、壁のリフォーム構造１００ｑの一例を示す模式的断面図である。
【００８６】
まず、図２７に示すように、壁のリフォーム構造１００ｑは、フレーム３００ｑをネジＢＴにより壁２００に固定する。
また、フレーム３００ｑには、凸部３２０ｑが形成される。凸部３２０ｑは、メネジ部が形成されている。内層パネル４００ｑには、凸部３２０ｑに応じた孔が形成されている。
【００８７】
続いて、凸部３２０ｑに、ネジＢＴｑが取り付けられている。また、表面パネル５００ｑには、ネジＢＴｑに応じた穴５５５ｑが形成されている。
【００８８】
その結果、凸部３２０ｑとネジＢＴｑとのネジ嵌合の嵌合量を変化させることで、壁２００から表面パネル５００ｑまでの距離を変化させることができる。
【００８９】
なお、上記で説明した表面パネル５００以外にも、表面パネルは、色、色彩、模様、絵画等のバリエーションであってもよく、さらに保護フィルムが最外層に形成されていてもよい。また、調湿、ニオイ吸着、ＶＯＣ吸着等を行う素材であってもよい。
さらに、表面パネル５００は、デッキのようなインテリア重視のデザインを有してもよく、また、パズル、キャラクター、移動車両、鉄道、等の絵であってもよく、趣味でデザインできるキャンバス等であってもよい。
【００９０】
なお、表面パネル５００、内層パネル４００をフレーム３００に取り付ける手法は、磁石、両面テープ、接着剤等で取り付けてもよい。
また、フレーム３００と内層パネル４００とが互いに凹凸部または係止部で嵌合され、内層パネル４００と表面パネル５００とが互いに凹凸部または係止部で嵌合される構造であってもよい。
【００９１】
以上のように、本発明にかかる壁のリフォーム構造１００，１００ａ，〜，１００ｑにおいては、化粧面として表面パネル５００を用い、内層パネル４００を新たに取り付けることで機能性を多様に選択し改良することができる。また、壁のリフォーム構造１００は、フレーム３００の壁嵌合部３３０が、壁２００に喰い込むため、堅固に壁２００に固定することができる。
また、内層パネル４００は、孔４２０によりフレーム３００の凸部３２０に係止され、表面パネル５００の穴５３０および切り欠き部５４０により確実に固定される。
【００９２】
さらに、スペーサ６００またはネジＢＴｑおよび凸部３２０ｑを用いることで、表面パネル５００が保持されるべき壁２００からの距離を調整することができる。さらに、表面パネル５００および内層パネル４００を適宜選択することにより、機能性を有するリフォームが可能となる。
【００９３】
また、本実施の形態においては、穴は、貫通していない穴を意味し、孔は、貫通している孔を意味する。
【００９４】
本発明においては、壁嵌合部３３０が『壁固定部』に相当し、凸部３２０が『パネル保持部、突起部』に相当し、フレーム３００，３００ｆ，〜，３００ｑが『パネル取付部』に相当し、壁２００が『壁』に相当し、内層パネル４００，４００ａ，４００ｆ，〜，４００ｑが『内層パネル』に相当し、表面パネル５００，５００ａ，〜，５００ｑ，５２１，５２２，５２３，５２５，５２６，５２８，５２９が『表面パネル』に相当し、孔４２０または穴５３０，５５５ｍ，〜，５５５ｑが『被保持部』に相当し、壁のリフォーム構造１００，１００ａ，〜，１００ｑが『壁のリフォーム構造』に相当し、スペーサ６００またはネジＢＴｑおよび凸部３２０ｑが『保持位置調整部』に相当し、電化製品５７２が『家電製品』に相当し、表面パネル５２６が『照明部材』に相当し、表面パネル５２３が『ホワイトボード、黒板および筆記可能な板部材』に相当し、表面パネル５２５が『収容スペースを構成可能な張り出し部材、手すり部』に相当し、孔４４０が『配線収納用の空間』に相当し、図２および図３が『第１工程』に相当し、図４および図５が『第２工程』に相当し、図２から図５の工程が『壁リフォーム工法』に相当する。
【００９５】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００９６】
１００，１００ａ，〜，１００ｑ  壁のリフォーム構造
２００  壁
３００，３００ｆ，〜，３００ｑ  フレーム
３１０  枠体
３２０  凸部
３２０ｆ  孔
３２１  突起
３３０  壁嵌合部
４００，４００ａ，４００ｆ，〜，４００ｑ  内層パネル
４１０，４１０ａ  平面部材
４２０  孔
４３０  切り欠き部
４４０  孔
４６０  係止部
５００，５００ａ，〜，５００ｑ  表面パネル
５２１，５２２，５２３，５２５，５２６，５２８，５２９，５７０  表面パネル
５２０  表面部材
５３０  穴
５７１  マルチタップ
５７２  電化製品
６００  スペーサ
【図１】
2015175105.tif 000003
【図２】
2015175105.tif 000004
【図３】
2015175105.tif 000005
【図４】
2015175105.tif 000006
【図５】
2015175105.tif 000007
【図６】
2015175105.tif 000008
【図７】
2015175105.tif 000009
【図８】
2015175105.tif 000010
【図９】
2015175105.tif 000011
【図１０】
2015175105.tif 000012
【図１１】
2015175105.tif 000013
【図１２】
2015175105.tif 000014
【図１３】
2015175105.tif 000015
【図１４】
2015175105.tif 000016
【図１５】
2015175105.tif 000017
【図１６】
2015175105.tif 000018
【図１７】
2015175105.tif 000019
【図１８】
2015175105.tif 000020
【図１９】
2015175105.tif 000021
【図２０】
2015175105.tif 000022
【図２１】
2015175105.tif 000023
【図２２】
2015175105.tif 000024
【図２３】
2015175105.tif 000025
【図２４】
2015175105.tif 000026
【図２５】
2015175105.tif 000027
【図２６】
2015175105.tif 000028
【図２７】
2015175105.tif 000029